(57)【要約】      （修正有） 【課題】肩掛け可能な一対のハンドル部を有し、肩掛けした際には利用者の肩の傾斜に適合して脱落を抑制することができるバッグを提供する。【解決手段】収納部１１と、収納部１１のマチ方向に沿って、収納部１１を形成する正面側生地部１２及び背面側生地部１３に夫々設けられた一対の肩掛け可能なハンドル部を有するバッグ１０であって、正面側生地部１２に設けられた正面側ハンドル部１４ａの、正面側ハンドル部上端部２２と正面側生地部上端部２３との間隔寸法Ｌ１は、背面側生地部１３に設けられた背面側ハンドル部１４ｂの、背面側ハンドル部上端部２４と背面側生地部上端部２５との間の間隔寸法Ｌ２よりも小さいことを特徴とする。【選択図】図１
0003202695.tif 000002
【実用新案登録請求の範囲】
【請求項１】
収納部と、前記収納部のマチ方向に沿って、前記収納部を形成する正面側生地部及び背面側生地部に夫々設けられた一対の肩掛け可能なハンドル部を有するバッグであって、前記正面側生地部に設けられた正面側ハンドル部の、正面側ハンドル部上端部と正面側生地部の上端部との間隔寸法は、前記背面側生地部に設けられた背面側ハンドル部の、背面側ハンドル部上端部と背面側生地部上端部との間の間隔寸法よりも小さいことを特徴とするバッグ。
【請求項２】
前記正面側生地部及び背面側生地部は全体方形状に形成され、前記正面側生地部及び背面側生地部の側縁部は、互いに厚さ方向に沿ってマチ部を介して連接されていると共に、底縁部は底面部を介して連接され、上縁部には開口部を備えており、前記開口部には、前記開口部を開閉しうる線ファスナが幅方向に沿って設けられていることを特徴とする請求項１記載のバッグ。
【請求項３】
前記正面側生地部の正面側には、物品を収納可能な袋状収納部を備えていることを特徴とする請求項１記載のバッグ。
【請求項４】
前記正面側ハンドル部及び背面側ハンドル部は夫々、帯状体より構成されていることを特徴とする請求項１記載のバッグ。
【請求項５】
前記背面側ハンドル部には、前記正面側ハンドル部と背面側ハンドル部とを互いに連結可能な連結部材を備えていることを特徴とする請求項１記載のバッグ。
【考案の詳細な説明】
【技術分野】
【０００１】
本考案は肩掛けにより携行可能なバッグの改良に関する。
【背景技術】
【０００２】
従来より、肩掛け可能な長さのハンドル部を備えたバッグは、手提げバッグとしても用いることができ、このような肩掛けと手提げ兼用のバッグとしてはトートバッグなどがあり持ち運びが便利で広く利用されている。
【０００３】
一般に、トートバッグは、２枚の生地を袋状に形成することにより本体収納部が形成されており、前面側の生地に対して紐状のハンドル部の両端部が固定されており、後面側の生地にも同様にハンドル部が固定されている。
【０００４】
しかしながら、従来のトートバッグにおける前面側と後面側の生地に固定される一対のハンドル部は同じ長さに形成されている。
【０００５】
一方で、一対のハンドル部を肩に掛けて持ち運ぶ際には、肩の首側には後面側の生地に固定されたハンドル部が、肩の端部側には前面側の生地に固定されたハンドル部が夫々掛けられる。
【０００６】
一般に、人の肩は首側から端部側にかけて高さが低くなっており、前述のように一対のハンドル部の長さが同じ長さに形成されている場合、肩の首側に位置する背面側の生地に固定されたハンドル部はしっかりと肩に接して荷重をささえることができる一方で、肩の端部側に位置する正面側の生地に固定されたハンドル部は、肩にしっかりと接することなく、人によっては浮き上がってしまう。
【０００７】
即ち、肩の端部側に位置するハンドル部は、肩から脱落しやすく、再度肩に掛け直すなどの動作が必要となり煩わしいものであった。そこで、一対のハンドル部を互いにまとめて連結する連結具を有するバッグもあるが、一対のハンドル部を持ち運ぶ度に毎回連結することは作業が煩雑になってしまうという問題があった。
【０００８】
そこで、本願考案者は、このような観点から調査を行い特許文献１及び２を発見した。しかしながら、特許文献１は長さ調節可能な紐体を備えているが、上記のような問題を解決しうるものではなかった。
【０００９】
また、特許文献２は一対の取手部の長さが互いに異なるように構成されているが、前述のような肩からのずれ落ちを想定したものではなく、正面側の生地に固定された取手部の方が長い寸法に形成されているものであった。利用する人の肩の形状に合い、このような煩わしさや作業の煩雑性を解消することができるハンドル部を有するバッグが望まれていた。
【特許文献１】公開特許第２０００−２３６９２６号公報
【特許文献２】公開特許第２００５−３５００８５号公報
【考案の開示】
【考案が解決しようとする課題】
【００１０】
そこで、本考案は、このような従来の要請に基づくものであって、肩掛け可能な一対のハンドル部を有し、肩掛けした際には利用者の肩の傾斜に適合して脱落を抑制することができるバッグを提供することを課題とする。
【課題を解決するための手段】
【００１１】
前記課題を解決するために、請求項１に記載のバッグにあっては、収納部と、前記収納部のマチ方向に沿って、前記収納部を形成する正面側生地部及び背面側生地部に夫々設けられた一対の肩掛け可能なハンドル部を有するバッグであって、前記正面側生地部に設けられた正面側ハンドル部の、正面側ハンドル部上端部と正面側生地部の上端部との間隔寸法は、前記背面側生地部に設けられた背面側ハンドル部の、背面側ハンドル部上端部と背面側生地部上端部との間の間隔寸法よりも小さいことを特徴とする。
【００１２】
従って、請求項１に記載のバッグは、正面側ハンドル部上端部と正面側生地部の上端部との間隔寸法は、背面側生地部に設けられた背面側ハンドル部の、背面側ハンドル部上端部と背面側生地部上端部との間の間隔寸法よりも小さいことから、肩に掛けた際には、肩の首側には背面側ハンドル部が、肩の端部側には背面側ハンドル部よりも丈の小さい正面側ハンドル部が位置する。
【００１３】
請求項２に記載のバッグにあっては、前記正面側生地部及び背面側生地部は全体方形状に形成され、前記正面側生地部及び背面側生地部の側縁部は、互いに厚さ方向に沿ってマチ部を介して連接されていると共に、底縁部は底面部を介して連接され、上縁部には開口部を備えており、前記開口部には、前記開口部を開閉しうる線ファスナが幅方向に沿って設けられていることを特徴とする。
【００１４】
請求項３に記載のバッグにあっては、前記正面生地部の正面側には、物品を収納可能な袋状収納部を備えていることを特徴とする。
【００１５】
請求項４に記載のバッグにあっては、前記正面側ハンドル部及び背面側ハンドル部は夫々、帯状体より構成されていることを特徴とする。
【００１６】
請求項５に記載のバッグにあっては、前記背面側ハンドル部には、前記正面側ハンドル部と背面側ハンドル部とを互いに連結可能な連結部材を備えていることを特徴とする。
【００１７】
従って、請求項５に記載のバッグは、連結部材により正面側ハンドル部と背面側ハンドル部を束ねることができる。
【考案の効果】
【００１８】
請求項１、２及び４に記載のバッグにあっては、肩に掛けた際には、肩の首側には背面側ハンドル部が、肩の端部側には背面側ハンドル部よりも丈の小さい正面側ハンドル部が位置することから、肩掛けした際には、首側から端部側にかけて高さ寸法が小さくなる利用者の肩の傾斜に適合して、肩からの脱落を抑制することができる。
【００１９】
請求項３に記載のバッグにあっては、正面生地部の正面側には、物品を収納可能な袋状収納部を備えていることから、小物を他のものとは分けて袋状収納部に収納しておくことができ、取り出しに便利である。
【００２０】
請求項５に記載のバッグは、連結部材により正面側ハンドル部と背面側ハンドル部を互いに束ねておくことができるため、ハンドル部が個別に動いて利用者や周囲の人の邪魔になることがない。
【図面の簡単な説明】
【００２１】
【図１】図１は、本考案に係るバッグの一実施の形態を示した斜視図である。
【図２】図２は、本考案に係るバッグの一実施の形態を示した側面概念図である。
【図３】図３は、本考案に係るバッグの一実施の形態を示し、肩掛けした状態を示す概念図である。
【考案を実施するための最良の形態】
【００２２】
以下、本考案に係るバッグを実施の形態に基づき、図面を参照して詳細に説明する。
【００２３】
図１に示すように、本実施の形態に係るバッグ１０は、収納部１１と、収納部１１のマチ方向に沿って、収納部１１を形成する正面側生地部１２及び背面側生地部１３に夫々設けられた一対の肩掛け可能なハンドル部１４，１４を有するバッグである。ハンドル部１４，１４は、正面側生地部１２に縫合された正面側ハンドル部１４ａと背面側生地部１３に縫合された背面側ハンドル部１４ｂとにより構成されている。
【００２４】
図１に示すように、正面側生地部１２及び背面側生地部１３は全体略縦長方形状に形成され、正面側生地部１２及び背面側生地部１３の側縁部は、互いに厚さ方向に沿ってマチ部１５を介して連接されていると共に、底縁部は底面部１６を介して連接されている。上縁部には開口部１７を備えており、開口部１７には、開口部１７を形成する上面記事部２０を幅方向中央において開閉しうる線ファスナ１８がマチ部１５，１５の間に設けられている。
【００２５】
本実施の形態においては、開口部１７は、バッグ１０のマチ部１５，１５の間に、幅寸法と略同一の長さに形成されており、線ファスナ１８は上面生地部２０全域に設けられており、把持部を備えた２つのスライダ２８，２８が設けられている。
【００２６】
図１に示すように、正面側生地部１２の正面側の端部寄りには、物品を収納可能な袋状収納部１９を備えている。本実施の形態においては、袋状収納部１９は縦長長方形状に形成され、上縁部に物品を出し入れ可能な収納開口部（図示せず）を備え、収納開口部（図示せず）を被覆しうる横長長方形状の蓋部２１を備えている。
【００２７】
図１に示すように、正面側ハンドル部１４ａ及び背面側ハンドル部１４ｂは夫々、帯状体より構成されており、正面側ハンドル部上端部２２及び背面側ハンドル部上端部２４は細幅に形成されて、夫々合皮製の握り部２７ａ，２７ｂが周方向に沿って巻き付けられて固定されている。
【００２８】
背面側ハンドル部１４ｂには、正面側ハンドル部１４ａと背面側ハンドル部１４ｂとを互いに連結可能な連結部材２６を備えている。本実施の形態においては、連結部材２６は紐状体であり基端部が背面側ハンドル部１４ｂの握り部２７ｂに固定されており、基端部と先端部には夫々ホックボタン（図示せず）が設けられている。
【００２９】
図１及び図２に示すように、正面側生地部１２に設けられた正面側ハンドル部１４ａの、正面側ハンドル部上端部２２と正面側生地部上端部２３との間隔寸法Ｌ１は、背面側生地部１３に設けられた背面側ハンドル部１４ｂの、背面側ハンドル部上端部２４と背面側生地部上端部２５との間の間隔寸法Ｌ２よりも小さくなるように形成されている。本実施の形態においては間隔寸法Ｌ１は２３センチメートルであり、間隔寸法Ｌ２は２４センチメートルである。
【００３０】
以下、本実施の形態に係るバッグ１０の作用について、図面を参照して詳細に説明する。
【００３１】
図１に示すように、本実施の形態に係るバッグ１０は、以上のように構成されていることから、収納部１１には物品を収納することができ、把持部を把持して幅方向両端側より中央側へとスライダ２８，２８を移動させることにより開口部１７は閉じられる。
【００３２】
また、小物類は収納部１１ではなく他のものとは分けて袋状収納部１９に収納しておくことができ取り出しに便利である。袋状収納部１９の収納開口部（図示せず）は、蓋部２１によって閉じることができる。
【００３３】
図２及び図３に示すように、正面側ハンドル部上端部２２と正面側生地部上端部２３との間隔寸法Ｌ１は、２３センチメートルであり、背面側ハンドル部上端部２４と背面側生地部上端部２５との間の間隔寸法Ｌ２よりも１センチメートル小さくなるように形成されている。
【００３４】
従って、図３に示すように、肩に掛けて携行する際には、背面側ハンドル部１４ｂが肩の首側部３０に、正面側ハンドル部１４ａが肩の端部側部３１に位置することから、間隔寸法Ｌ１及びＬ２の差により、正面側ハンドル部１４ａと背面側ハンドル部１４ｂは、肩の首側部３０と肩の端部側部３１の傾斜に適合するため、正面側ハンドル部１４ａが浮いて肩から脱落するといった事態を抑制することができる。
【産業上の利用可能性】
【００３５】
本考案は、肩掛けにより携行可能なバッグに広く適用することができるため、産業上の利用可能性を有している。
【符号の説明】
【００３６】
１０    バッグ
１１    収納部
１２    正面側生地部
１３    背面側生地部
１４    ハンドル部
１５    マチ部
１６    底面部
１７    開口部
１８    線ファスナ
１９    袋状収納部
２０    上面生地部
２１    蓋部
２２    正面側ハンドル部上端部
２３    正面側生地部上端部
２４    背面側ハンドル部上端部
２５    背面側生地部上端部
２６    連結部材
２７    握り部
２８    スライダ
３０    肩の首側部
３１    肩の端部側部
【図１】
0003202695.tif 000003
【図２】
0003202695.tif 000004
【図３】
0003202695.tif 000005